(57)【特許請求の範囲】
【請求項１】
利用者を被写体として撮影し撮影画像を得る撮影処理部と、前記利用者による入力に基づいて前記撮影画像に合成用画像を合成して前記撮影画像の編集を行う編集処理部とを備える画像編集装置であって、
前記編集処理部は、
前記撮影画像に合成される前記合成用画像において、前記撮影画像上の所定領域と重なる重なり領域の有無を検知する重なり領域検知部と、
前記重なり領域検知部によって前記重なり領域があると検知された場合、前記合成用画像における前記重なり領域の距離を示す距離情報を含む重なり領域情報を取得する重なり領域情報取得部と、
前記重なり領域情報取得部によって取得された前記重なり領域情報に基づいて、前記重なり領域の一部の透過率を変更する透過率変更部と
を備え、
前記重なり領域検知部は、前記利用者による描画入力の描画軌跡に対応する前記合成用画像において、前記撮影画像上の所定領域と重なる前記重なり領域の有無を検知し、
前記重なり領域情報取得部は、
前記重なり領域における前記描画軌跡の始点および終点を、前記重なり領域情報として取得し、
前記重なり領域における前記描画軌跡の始点および終点から、前記重なり領域における前記描画軌跡の距離を算出する距離算出部を備え、
前記透過率変更部は、前記重なり領域における前記描画軌跡の距離のうちの、所定距離分の前記描画軌跡に対応する前記重なり領域の透過率を変更する
画像編集装置。
【請求項２】
前記重なり領域検知部は、前記撮影画像に合成される前記合成用画像において、前記撮影画像上の前記被写体の領域である人物領域、および、前記撮影画像上で他の合成用画像が合成されている領域である合成用画像領域の少なくともいずれか一方と重なる前記重なり領域の有無を検知する
請求項１に記載の画像編集装置。
【請求項３】
前記重なり領域情報取得部は、
前記重なり領域における前記描画軌跡の始点を前記重なり領域情報として取得し、
前記重なり領域における前記描画軌跡の始点近傍における、前記描画軌跡の向きに基づいて、前記重なり領域における前記描画軌跡の終点を予測する終点予測部をさらに備える
請求項１に記載の画像編集装置。
【請求項４】
前記透過率変更部は、前記重なり領域の一部の透過率を、時間に対して変化するように変更し、
前記撮影画像には、前記重なり領域の一部の透過率が時間に対して変化するようアニメーション表示される前記合成用画像が合成される
請求項１乃至３のいずれかに記載の画像編集装置。
【請求項５】
前記透過率変更部は、前記重なり領域の一部の透過率を、前記重なり領域における位置に応じて段階的に変更する
請求項１乃至３のいずれかに記載の画像編集装置。
【請求項６】
前記透過率変更部は、予め設定されたパラメータに基づいて、前記重なり領域において透過率が変更される領域を設定する
請求項１乃至５のいずれかに記載の画像編集装置。
【請求項７】
利用者を被写体として撮影し撮影画像を得る撮影処理部と、前記利用者による入力に基づいて前記撮影画像に合成用画像を合成して前記撮影画像の編集を行う編集処理部とを備える画像編集装置の画像編集方法であって、
前記編集処理部が、
前記撮影画像に合成される前記合成用画像において、前記撮影画像上の所定領域と重なる重なり領域の有無を検知し、
前記重なり領域があると検知された場合、前記合成用画像における前記重なり領域の距離を示す距離情報を含む重なり領域情報を取得し、
取得された前記重なり領域情報に基づいて、前記重なり領域の一部の透過率を変更する
ステップを含み、
前記ステップにおいては、
前記利用者による描画入力の描画軌跡に対応する前記合成用画像において、前記撮影画像上の所定領域と重なる前記重なり領域の有無が検知され、
前記重なり領域における前記描画軌跡の始点および終点が、前記重なり領域情報として取得され、
前記重なり領域における前記描画軌跡の始点および終点から、前記重なり領域における前記描画軌跡の距離が算出され、
前記重なり領域における前記描画軌跡の距離のうちの、所定距離分の前記描画軌跡に対応する前記重なり領域の透過率が変更される
画像編集方法。
【請求項８】
利用者を被写体として撮影し撮影画像を得、前記利用者による入力に基づいて前記撮影画像に合成用画像を合成して前記撮影画像の編集を行う処理をコンピュータに実行させるプログラムであって、
前記撮影画像に合成される前記合成用画像において、前記撮影画像上の所定領域と重なる重なり領域の有無を検知し、
前記重なり領域があると検知された場合、前記合成用画像における前記重なり領域の距離を示す距離情報を含む重なり領域情報を取得し、
取得された前記重なり領域情報に基づいて、前記重なり領域の一部の透過率を変更する
ステップを含む処理をコンピュータに実行させ、
前記ステップにおいては、
前記利用者による描画入力の描画軌跡に対応する前記合成用画像において、前記撮影画像上の所定領域と重なる前記重なり領域の有無が検知され、
前記重なり領域における前記描画軌跡の始点および終点が、前記重なり領域情報として取得され、
前記重なり領域における前記描画軌跡の始点および終点から、前記重なり領域における前記描画軌跡の距離が算出され、
前記重なり領域における前記描画軌跡の距離のうちの、所定距離分の前記描画軌跡に対応する前記重なり領域の透過率が変更される
プログラム。
【発明の詳細な説明】
【技術分野】
【０００１】
本発明は、画像編集装置、画像編集方法、およびプログラムに関し、特に、デザイン性の高い画像を利用者に提供することができるようにした画像編集装置、画像編集方法、およびプログラムに関する。
【背景技術】
【０００２】
従来、利用者（被写体）を撮影し、得られた撮影画像に予め用意されている画像を合成したり、文字や線画を重畳させたりする落書き編集処理を行い、シール紙に印刷し、写真シールとして利用者に提供する写真シール機が存在する。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
このようなゲームの流れの中で、利用者は、画像編集ツールを用いることで編集作業を行う。画像編集ツールとしては、予め用意されたスタンプ画像を撮影画像に対して貼り付ける（合成する）ことができるスタンプツールや、利用者がタッチペンを用いてタッチパネル上に描画した軌跡に対応したペン画像を撮影画像に対して合成することができるペンツール等がある。さらには、画像編集ツールとして、撮影画像に対して合成されたスタンプ画像やペン画像といった合成用画像を消去することができる消しゴムツールがある。
【０００５】
近年、編集作業を行う編集画面において、スタンプ画像を撮影画像上の被写体の背景として配置するか、または前景として配置するかを選択させるための選択ボタンを表示させ、利用者がその選択を可能とするようにした写真シール機がある（例えば、特許文献１参照）。
【０００６】
また、撮影画像に対してペン画像を合成する際、利用者による描画の方向が、予め決められた第１の方向（例えば、時計回りの回転方向）である場合には、被写体とペン画像とが重なる部分では、ペン画像の方が上に表示され、利用者による描画の方向が第１の方向と逆の第２の方向（例えば、反時計回りの回転方向）である場合には、被写体とペン画像とが重なる部分では、被写体の方が上に表示されるようにした写真シール機が知られている。
【０００７】
このような技術により、デザイン性の高い画像を利用者に提供することができるようになった。
【先行技術文献】
【特許文献】
【０００８】
【特許文献１】特開２００３−２４４５８１号公報
【発明の概要】
【発明が解決しようとする課題】
【０００９】
ところで、上述したスタンプツールによれば、同じ種類のスタンプ画像を重ねて貼り付けることが可能であるが、スタンプ画像同士が重なっている部分のうち、後から貼り付けたスタンプ画像の部分を消しゴムツールで消去しようとした場合には、先に貼り付けたスタンプ画像の部分も消去されていた。また、スタンプ画像が小さい場合には、消去したくない部分も消しゴムツールで消去してしまう恐れがあった。
【００１０】
また、特許文献１の技術においても、被写体の前景として配置（合成）されたスタンプ画像の一部を消去するには、消しゴムツールで消去する必要があった。
【００１１】
さらに上述の、利用者による描画の方向に応じて被写体とペン画像とが重なる部分の表示の仕方を変えるようにした写真シール機においては、利用者による描画の方向が限定されている上に、被写体とペン画像とが重なる部分でしか、その表示の仕方を選択することができなかった。
【００１２】
このように、デザイン性の高い画像を提供するには、利用者が複雑な操作を行う必要があり、これは利用者にとっては手間であった。
【００１３】
本発明は、このような状況に鑑みてなされたものであり、特別な操作を必要とすることなく簡単に、よりデザイン性の高い画像を利用者に提供するものである。
【課題を解決するための手段】
【００１４】
本発明の一側面の画像編集装置は、利用者を被写体として撮影し撮影画像を得る撮影処理部と、前記利用者による入力に基づいて前記撮影画像に合成用画像を合成して前記撮影画像の編集を行う編集処理部とを備える画像編集装置であって、前記編集処理部は、前記撮影画像に合成される前記合成用画像において、前記撮影画像上の所定領域と重なる重なり領域の有無を検知する重なり領域検知部と、前記重なり領域検知部によって前記重なり領域があると検知された場合、前記合成用画像における前記重なり領域の距離を示す距離情報を含む重なり領域情報を取得する重なり領域情報取得部と、前記重なり領域情報取得部によって取得された前記重なり領域情報に基づいて、前記重なり領域の一部の透過率を変更する透過率変更部とを備え、前記重なり領域検知部は、前記利用者による描画入力の描画軌跡に対応する前記合成用画像において、前記撮影画像上の所定領域と重なる前記重なり領域の有無を検知し、前記重なり領域情報取得部は、前記重なり領域における前記描画軌跡の始点および終点を、前記重なり領域情報として取得し、前記重なり領域における前記描画軌跡の始点および終点から、前記重なり領域における前記描画軌跡の距離を算出する距離算出部を備え、前記透過率変更部は、前記重なり領域における前記描画軌跡の距離のうちの、所定距離分の前記描画軌跡に対応する前記重なり領域の透過率を変更する。
【００１５】
前記重なり領域検知部には、前記撮影画像に合成される前記合成用画像において、前記撮影画像上の前記被写体の領域である人物領域、および、前記撮影画像上で他の合成用画像が合成されている領域である合成用画像領域の少なくともいずれか一方と重なる前記重なり領域の有無を検知させることができる。
【００１８】
前記重なり領域情報取得部には、前記重なり領域における前記描画軌跡の始点を前記重なり領域情報として取得させ、前記重なり領域における前記描画軌跡の始点近傍における、前記描画軌跡の向きに基づいて、前記重なり領域における前記描画軌跡の終点を予測する終点予測部をさらに設けることができる。
【００１９】
前記透過率変更部には、前記重なり領域の一部の透過率を、時間に対して変化するように変更させ、前記撮影画像には、前記重なり領域の一部の透過率が時間に対して変化するようアニメーション表示される前記合成用画像が合成されるようにすることができる。
【００２０】
前記透過率変更部には、前記重なり領域の一部の透過率を、前記重なり領域における位置に応じて段階的に変更させることができる。
【００２１】
前記透過率変更部には、予め設定されたパラメータに基づいて、前記重なり領域において透過率が変更される領域を設定させることができる。
【００２２】
本発明の一側面の画像編集方法は、利用者を被写体として撮影し撮影画像を得る撮影処理部と、前記利用者による入力に基づいて前記撮影画像に合成用画像を合成して前記撮影画像の編集を行う編集処理部とを備える画像編集装置の画像編集方法であって、前記編集処理部が、前記撮影画像に合成される前記合成用画像において、前記撮影画像上の所定領域と重なる重なり領域の有無を検知し、前記重なり領域があると検知された場合、前記合成用画像における前記重なり領域の距離を示す距離情報を含む重なり領域情報を取得し、取得された前記重なり領域情報に基づいて、前記重なり領域の一部の透過率を変更するステップを含み、前記ステップにおいては、前記利用者による描画入力の描画軌跡に対応する前記合成用画像において、前記撮影画像上の所定領域と重なる前記重なり領域の有無が検知され、前記重なり領域における前記描画軌跡の始点および終点が、前記重なり領域情報として取得され、前記重なり領域における前記描画軌跡の始点および終点から、前記重なり領域における前記描画軌跡の距離が算出され、前記重なり領域における前記描画軌跡の距離のうちの、所定距離分の前記描画軌跡に対応する前記重なり領域の透過率が変更される。
【００２３】
本発明の一側面のプログラムは、利用者を被写体として撮影し撮影画像を得、前記利用者による入力に基づいて前記撮影画像に合成用画像を合成して前記撮影画像の編集を行う処理をコンピュータに実行させるプログラムであって、前記撮影画像に合成される前記合成用画像において、前記撮影画像上の所定領域と重なる重なり領域の有無を検知し、前記重なり領域があると検知された場合、前記合成用画像における前記重なり領域の距離を示す距離情報を含む重なり領域情報を取得し、取得された前記重なり領域情報に基づいて、前記重なり領域の一部の透過率を変更するステップを含む処理をコンピュータに実行させ、前記ステップにおいては、前記利用者による描画入力の描画軌跡に対応する前記合成用画像において、前記撮影画像上の所定領域と重なる前記重なり領域の有無が検知され、前記重なり領域における前記描画軌跡の始点および終点が、前記重なり領域情報として取得され、前記重なり領域における前記描画軌跡の始点および終点から、前記重なり領域における前記描画軌跡の距離が算出され、前記重なり領域における前記描画軌跡の距離のうちの、所定距離分の前記描画軌跡に対応する前記重なり領域の透過率が変更される。
【００２４】
本発明の一側面によれば、利用者が被写体として撮影されて撮影画像が得られ、利用者による入力に基づいて撮影画像に合成用画像が合成されて撮影画像の編集が行われ、撮影画像に合成される合成用画像において、撮影画像上の所定領域と重なる重なり領域の有無が検知され、重なり領域があると検知された場合、合成用画像における重なり領域の距離を示す距離情報を含む重なり領域情報が取得され、取得された重なり領域情報に基づいて、重なり領域の一部の透過率が変更される。さらに、利用者による描画入力の描画軌跡に対応する合成用画像において、撮影画像上の所定領域と重なる重なり領域の有無が検知され、重なり領域における描画軌跡の始点および終点が、重なり領域情報として取得され、重なり領域における描画軌跡の始点および終点から、重なり領域における描画軌跡の距離が算出され、重なり領域における描画軌跡の距離のうちの、所定距離分の描画軌跡に対応する重なり領域の透過率が変更される。
【発明の効果】
【００２５】
本発明によれば、特別な操作を必要とすることなく簡単に、よりデザイン性の高い画像を利用者に提供することが可能となる。
【図面の簡単な説明】
【００２６】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】編集処理部の構成例を示す機能ブロック図である。
【図１１】写真シール作成ゲーム処理を説明するフローチャートである。
【図１２】合成用画像の合成処理を説明するフローチャートである。
【図１３】合成用画像の合成の例を示す図である。
【図１４】合成用画像の合成の例を示す図である。
【図１５】合成用画像の合成の例を示す図である。
【図１６】合成用画像の合成の例を示す図である。
【図１７】合成用画像の合成の例を示す図である。
【図１８】合成用画像の合成の例を示す図である。
【図１９】合成用画像の合成の例を示す図である。
【図２０】合成用画像の合成の例を示す図である。
【図２１】合成用画像の合成の例を示す図である。
【図２２】合成用画像の合成の例を示す図である。
【図２３】合成用画像の合成の例を示す図である。
【図２４】透過率を変更する領域の切り替えについて説明する図である。
【図２５】編集処理部の他の構成例を示す機能ブロック図である。
【図２６】合成用画像の合成処理の他の例を説明するフローチャートである。
【図２７】重なり領域の距離の算出について説明する図である。
【図２８】編集処理部のさらに他の構成例を示す機能ブロック図である。
【図２９】合成用画像の合成処理のさらに他の例を説明するフローチャートである。
【図３０】重なり領域の終点の予測について説明する図である。
【図３１】ユーモア合成用画像の例を示す図である。
【図３２】ユーモア合成用画像の例を示す図である。
【発明を実施するための形態】
【００２７】
以下、本発明における実施の形態について説明する。
【００２８】
［写真シール作成装置の外観構成］
図１は、写真シール作成装置１の外観の構成例を示す斜視図である。
【００２９】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタ等の店舗に設置される。利用者は１人であることもあるが、主に２人または３人等の複数人である。
【００３０】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いることにより、撮影画像を彩り豊かな画像に編集する。利用者は、編集済みの画像が印刷されたシール紙を受け取って一連のゲームを終了させることになる。
【００３１】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３３】
撮影部２１は、利用者を撮影する撮影処理を行う装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタ等が設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３４】
側面パネル４２Ａには、複数個のＬＥＤ（Light Emitting Diode）が埋め込まれてなるＬＥＤ発光部４２Ｌが設けられている。側面パネル４２Ａの表面には、その全体を覆うように、写真シール作成装置１の製造メーカや、その製造メーカと提携している企業の商品やサービス等の広告が印刷されたアクリル板等から構成されるＰＯＰ広告が装着される。そのＰＯＰ広告のＬＥＤ発光部４２Ｌに対応する部分には、広告として特にアピールされる情報が印刷され、ＬＥＤ発光部４２Ｌの発光によりその情報が強調されるようになる。ＬＥＤ発光部４３は、図示せぬ側面パネル４２Ｂにも設けられるようにしてもよいし、側面パネル４２Ａ，側面パネル４２Ｂのいずれか一方のみに設けられるようにしてもよい。
【００３５】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００３６】
撮影部２１の左側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、図示されないが、撮影部２１の右側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’によって連結される。
【００３７】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００３８】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３９】
なお、背景カーテンユニット２５に収納される背景カーテンとしては、複数枚のカーテンを１枚のクロマキー用のカーテンとして使用する昇降式カーテンを用意してもよい。また、クロマキー用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４０】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４１】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタ等の構成が設けられる。
【００４２】
図１に示す編集部１２の構成を正面側の構成とすると、２組の利用者が同時に編集処理を行うことができるように、編集部１２の正面側と背面側には編集処理に用いられる構成がそれぞれ設けられる。
【００４３】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００４４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４５】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４６】
図２は、写真シール作成装置１を別の角度から見た斜視図である。
【００４７】
事後接客部１３は事後接客処理を利用者に行わせる装置である。事後接客処理には、撮影画像や編集済みの画像を携帯電話機等の携帯端末に送信する処理、ミニゲームを利用者に行わせる処理、アンケートに答えさせる処理等が含まれる。
【００４８】
図２に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口等が設けられる。事後接客部１３の正面前方の空間が、シール紙への印刷が終わるのを待っている利用者が事後接客処理を行う事後接客空間となる。
【００４９】
ここで、写真シール作成ゲームの流れと、それに伴う利用者の移動について図３を参照して説明する。図３は、写真シール作成装置１を上から見た平面図である。
【００５０】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタ等を利用して撮影処理を行う。
【００５１】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示等によって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５３】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５４】
画像の印刷が終了したとき、利用者は、事後接客部１３に設けられた排出口からシール紙を受け取り、一連の写真シール作成ゲームを終えることになる。
【００５５】
次に、各装置の構成について説明する。
【００５６】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５７】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５８】
正面パネル４１のほぼ中央には撮影・表示ユニット８１が設けられる。撮影・表示ユニット８１は、カメラ９１、タッチパネルモニタ９２、乳白アクリル板９３から構成される。
【００５９】
カメラ９１は、レンズやＣＣＤ(Charge Coupled Device)等の撮像素子により構成され、撮影空間Ａ１にいる利用者を撮影する。カメラ９１により取り込まれた動画像は、タッチパネルモニタ９２にリアルタイムで表示される。利用者により撮影が指示されたとき等の所定のタイミングでカメラ９１により取り込まれた画像は撮影画像（静止画像）として保存される。
【００６０】
カメラ９１の下側に設けられたタッチパネルモニタ９２は、ＬＣＤ(Liquid Crystal Display)等のモニタと、それに積層されたタッチパネルにより構成される。タッチパネルモニタ９２は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６１】
カメラ９１の上側および左右を囲うように複数設けられた乳白アクリル板９３の背後には、他のストロボと同様に、カメラ９１による撮影に合わせて発光し、被写体としての利用者の顔付近を正面から照射する蛍光灯およびストロボ発光可能な照明装置が設けられている。
【００６２】
正面パネル４１には、撮影・表示ユニット８１の上方に上ストロボ８２が設置され、上ストロボ８２は、利用者を上前方から照射する。
【００６３】
ベース部４３には利用者の足元を照射する足元ストロボ８３も設けられる。上ストロボ８２および足元ストロボ８３の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００６４】
足元ストロボ８３の右側には、利用者がお金を投入する硬貨投入返却口８４が設けられる。
【００６５】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００６６】
［背景部の構成］
図５は、背景部２２の撮影空間Ａ１側の構成例を示す図である。
【００６７】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６８】
背面パネル５１の、出入り口Ｇ１側の位置には、撮影空間Ａ１内で撮影処理を行っている利用者を左後方から照射する背面左ストロボ１０２が取り付けられる。また、背面パネル５１の、出入り口Ｇ２側の位置には、撮影空間Ａ１内で撮影処理を行っている利用者を右後方から照射する背面右ストロボ１０３が取り付けられる。
【００６９】
［編集部の構成］
図６は、編集部１２の正面側（編集空間Ａ２−１側）の構成例を示す図である。
【００７０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７１】
タブレット内蔵モニタ１３１は、タッチペン１３２Ａまたは１３２Ｂを用いて操作入力が可能なタブレットがＬＣＤ等のモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７２】
編集部１２の左側には事後接客部１３が設けられる。
【００７３】
［事後接客部の構成］
図７は、事後接客部１３の正面側の構成例を示す図である。
【００７４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤ等のモニタに重畳して設けられることによって構成される。タブレット内蔵モニタ１６１には、ミニゲーム等の事後接客処理に用いられる画面が表示される。
【００７５】
タブレット内蔵モニタ１６１の下にはシール紙排出口１６３が設けられ、タブレット内蔵モニタ１６１の上にはスピーカ１６４が設けられる。
【００７６】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７７】
スピーカ１６４は、事後接客処理の案内音声、ＢＧＭ、効果音等の音を出力する。
【００７８】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００７９】
制御部２０１はＣＰＵ(Central Processing Unit)等よりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ(Random Access Memory)２０７が接続される。制御部２０１には、撮影部２０８、編集部２０９、および事後接客部２１０の各構成も接続される。
【００８０】
記憶部２０２は、ハードディスクやフラッシュメモリ等の不揮発性の記憶媒体からなり、制御部２０１から供給された各種の設定情報を記憶する。記憶部２０２に記憶されている情報は制御部２０１により適宜読み出される。
【００８１】
通信部２０３は、インターネット等のネットワークのインタフェースであり、制御部２０１による制御に従って外部の装置と通信を行う。
【００８２】
ドライブ２０４には、光ディスクや半導体メモリ等よりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８３】
ＲＯＭ２０６には、制御部２０１において実行されるプログラムやデータが記憶されている。ＲＡＭ２０７は、制御部２０１が処理するデータやプログラムを一時的に記憶する。
【００８４】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００８５】
硬貨処理部２２１は、硬貨投入返却口８４に対する硬貨の投入を検出する。硬貨処理部２２１は、例えば４００円等の所定の金額分の硬貨が投入されたことを検出した場合、そのことを表す起動信号を制御部２０１に出力する。
【００８６】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８７】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、背景部２２に設けられる背面中央ストロボ１０１、背面左ストロボ１０２，背面右ストロボ１０３が設けられている。また、乳白アクリル板９３の背後にも、照明装置２２３としての蛍光灯が設けられている。
【００８８】
また、照明装置２２３は、制御部２０１による制御に従って発光量を調整することによって、利用者が行っている撮影作業の段階に応じて撮影空間Ａ１内の明るさを調整する。
【００８９】
カメラ９１は、制御部２０１による制御に従って撮影を行い、撮影によって得られた画像を制御部２０１に出力する。
【００９０】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９２】
事後接客部２１０は、事後接客空間Ａ３における事後接客処理を行う構成であるタブレット内蔵モニタ１６１、タッチペン１６２Ａ，１６２Ｂ、スピーカ１６４、印刷処理を行う構成であるプリンタ２４１、およびシール紙ユニット２４２から構成される。
【００９３】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９４】
［制御部の構成］
次に、制御部２０１について説明する。図９は、制御部２０１がＲＯＭ２０６等に格納されているプログラムを実行することにより実現される機能ブロックの構成例を示している。
【００９５】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９６】
つまり、制御部２０１は、写真シール作成ゲームの各工程に関する処理の制御を行う。
【００９７】
［編集処理部の構成例］
図１０は、図９の編集処理部３０２の詳細な構成例を示している。
【００９８】
編集処理部３０２は、編集処理を行うことで、撮影処理により得られた撮影画像を編集対象画像として利用者に選択させ、選択された撮影画像に合成する合成用画像を利用者に選択させ、選択された合成用画像を撮影画像に合成し、得られた合成画像を編集済み画像として出力する。
【００９９】
ここで、合成用画像には、利用者による描画入力の描画軌跡に対応して合成される線からなる画像であるペン画像、撮影画像の任意の位置に合成される図形や文字等の画像であるスタンプ画像、撮影画像の予め定められた位置に合成される図柄や模様等の画像であるフレーム画像が含まれる。すなわち、編集処理部３０２は、利用者による編集入力に基づいて、撮影画像に対してペン画像やスタンプ画像、フレーム画像を合成することで、合成画像を生成する。なお、これらの合成用画像は、記憶部２０２に記憶されている。
【０１００】
編集処理部３０２は、表示制御部３１１、入力受付部３１２、重なり領域検知部３１３、重なり領域情報取得部３１４、透過率変更部３１５、および合成部３１６を備えている。
【０１０１】
表示制御部３１１は、編集部１２におけるタブレット内蔵モニタ１３１の表示を制御する。
【０１０２】
入力受付部３１２は、タブレット内蔵モニタ１３１に対する、利用者によるタッチペン１３２Ａ，１３２Ｂを用いた操作入力を受け付ける。
【０１０３】
重なり領域検知部３１３は、利用者により撮影画像に合成される合成用画像が選択され、選択された合成用画像の撮影画像への合成入力が受け付けられると、撮影画像に合成される合成用画像において、撮影画像上の所定領域と重なる領域である重なり領域の有無を検知する。
【０１０４】
重なり領域情報取得部３１４は、重なり領域検知部３１３によって重なり領域があると検知された場合、重なり領域に関する情報である重なり領域情報を取得する。
【０１０５】
透過率変更部３１５は、重なり領域検知部３１３によって重なり領域があると検知された場合、重なり領域情報取得部３１４によって取得された重なり領域情報に基づいて、重なり領域の一部の透過率を変更する。
【０１０６】
合成部３１６は、利用者により選択された合成用画像を撮影画像に合成することで合成画像を生成し、生成された合成画像を編集済み画像として出力する。
【０１０７】
［写真シール作成装置の動作説明］
次に、図１１のフローチャートを参照して、写真シール作成ゲームを提供する写真シール作成装置１の処理について説明する。
【０１０８】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１０９】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影する撮影処理を行う。
【０１１０】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１１１】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像を編集済み画像として出力する。なお、合成用画像の合成処理の詳細については、後述する。
【０１１２】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１３】
ステップＳ６において、印刷処理部３０３は、利用者により選択された画像（編集済み画像）をプリンタ２４１に出力してシール紙に印刷させる印刷処理を行う（開始する）。
【０１１４】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済み画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１１５】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１１６】
［合成用画像の合成処理について］
ここで、図１２のフローチャートを参照して、図１１の写真シール作成ゲーム処理のステップＳ４の編集処理の中で実行される、合成用画像の合成処理の詳細について説明する。
【０１１７】
なお、図１２の合成用画像の合成処理は、表示制御部３１１の制御によってタブレット内蔵モニタ１３１に表示される落書き編集のための編集画面において、撮影処理により得られた撮影画像（キープ画像）から編集対象画像が利用者によって選択され、編集画面上の特定の領域に大きく表示されると開始される。
【０１１８】
ステップＳ１１において、入力受付部３１２は、編集画面において各種の合成用画像のアイコンがカテゴリ毎に表示されている編集用パレットにおいて、利用者によるタッチペン１３２Ａまたは１３２Ｂを用いた選択入力を受け付けることで、合成用画像を利用者に選択させる。
【０１１９】
編集用パレットには、落書き編集に用いられる合成用画像として、ペン画像、スタンプ画像、フレーム画像や、その他の合成用画像のカテゴリを選択するための選択ボタンが利用者によって選択されることで、選択された合成用画像のアイコンが、例えばタブ方式によりジャンル毎に分類されて複数表示される。
【０１２０】
例えば、ペン画像を選択するための選択ボタンが選択された場合、編集用パレットには、タブ方式によりジャンル毎に分類された、複数の線種や色のペン画像を選択するためのアイコンが、ペン画像の線の太さを選択するためのボタンとともに表示される。また、スタンプ画像を選択するための選択ボタンが選択された場合、編集用パレットには、タブ方式によりジャンル毎に分類された、複数の図形や文字等のスタンプ画像を選択するためのアイコンが、スタンプ画像の大きさを選択するためのボタンとともに表示される。さらに、フレーム画像を選択するための選択ボタンが選択された場合、編集用パレットには、タブ方式によりジャンル毎に分類された、複数の図柄や模様のフレーム画像を選択するためのアイコンが表示される。
【０１２１】
なお、この例では、合成用画像として、ペン画像、スタンプ画像、フレーム画像のいずれかが選択されるものとする。
【０１２２】
ステップＳ１２において、入力受付部３１２は、利用者により選択された合成用画像の、撮影画像への合成入力を受け付ける。具体的には、入力受付部３１２は、編集画面上に表示されている撮影画像（編集対象画像）上の、利用者によってタッチペン１３２Ａまたは１３２Ｂを用いて指定された位置への合成用画像の合成入力を受け付ける。
【０１２３】
ステップＳ１３において、重なり領域検知部３１３は、撮影画像に合成される合成用画像において、撮影画像上の所定領域と重なる重なり領域の有無を検知する。具体的には、重なり領域検知部３１３は、編集画面上に表示されている撮影画像上の、利用者によってタッチペン１３２Ａまたは１３２Ｂを用いて指定された位置が、撮影画像上の所定領域にあるか否かを判定することで、重なり領域の有無を検知する。
【０１２４】
ここで、撮影画像上の所定領域は、撮影画像上の被写体の領域である人物領域、および、撮影画像上で他の合成用画像が既に合成されている領域である合成用画像領域の少なくともいずれか一方とされる。すなわち、ステップＳ１３においては、撮影画像に合成される合成用画像において、撮影画像上の人物領域および合成用画像領域の少なくともいずれか一方と重なる重なり領域の有無が検知される。
【０１２５】
なお、ここでは、撮影画像に合成される合成用画像において、撮影画像上の被写体の背景の領域である背景領域と重なる領域は、重なり領域としてその有無が検知されないものとするが、背景領域と重なる領域を重なり領域としてその有無が検知されるようにしてもよい。
【０１２６】
ステップＳ１４において、重なり領域検知部３１３は、重なり領域があると検知されたか、すなわち、利用者によってタッチペン１３２Ａまたは１３２Ｂを用いて指定された位置が、撮影画像上の所定領域にあるか否かを判定する。
【０１２７】
ステップＳ１４において、重なり領域があると検知されたと判定された場合、ステップＳ１５に進み、重なり領域情報取得部３１４は、重なり領域情報を取得する。
【０１２８】
重なり領域情報は、合成用画像における重なり領域の中心点や輪郭上の点の、撮影画像上の位置（座標）を示す位置情報（座標情報）や、重なり領域の面積を示す面積情報、重なり領域の長さ（距離）を示す距離情報等とされる。
【０１２９】
ステップＳ１６において、透過率変更部３１５は、重なり領域情報取得部３１４により取得された重なり領域情報に基づいて、重なり領域の一部の透過率を変更する。なお、透過率は、０％から100％までの数値をとることができる。
【０１３０】
ステップＳ１７において、合成部３１６は、重なり領域の一部の透過率が変更された合成用画像を撮影画像に合成する。そして、表示制御部３１１は、編集画面に、重なり領域の一部の透過率が変更された合成用画像が合成された撮影画像を表示させる。
【０１３１】
一方、ステップＳ１４において、重なり領域がないと検知されたと判定された場合、ステップＳ１７に進み、合成部３１６は、利用者に選択された（透過率が変更されていない）合成用画像を撮影画像に合成する。そして、表示制御部３１１は、編集画面に、利用者に選択された合成用画像が合成された撮影画像を表示させる。
【０１３２】
以上の処理は、編集処理において、利用者により合成用画像が選択される毎に実行される。
【０１３３】
以上の処理によれば、撮影画像に合成される合成用画像において、撮影画像上の人物領域や合成用画像領域と重なる重なり領域の有無が検知され、重なり領域があると検知された場合、その重なり領域の一部の透過率が変更されるようになる。したがって、合成用画像の、撮影画像上の被写体や他の合成用画像と重なる領域の一部を、消しゴムツールを用いることなく消去したり透過率を変更させることができ、結果として、特別な操作を必要とすることなく簡単に、よりデザイン性の高い画像を利用者に提供することが可能となる。
【０１３４】
［具体例について］
ここで、以下においては、上述した処理において、撮影画像上の所定領域が人物領域である場合、合成用画像領域である場合、また、撮影画像に合成される合成用画像がペン画像である場合、スタンプ画像である場合、フレーム画像である場合の具体例について、それぞれ説明する。
【０１３５】
（１）撮影画像上の所定領域が人物領域である場合
（１−１）撮影画像に合成される合成用画像がペン画像である場合
この場合、撮影画像に合成されるペン画像において、撮影画像上の人物領域との重なり領域の有無が検知される。
【０１３６】
具体的には、図１３に示されるように、撮影画像４１１に合成される、実線の矢印で示されるペン画像４２１において、人物領域４２２との重なり領域の有無が検知される。図１３の例においては、重なり領域情報として、重なり領域におけるペン画像４２１の長さを示す距離情報が取得され、その距離情報に基づいて、重なり領域の一部の領域４２１ａの透過率が変更される。ここで、図中、重なり領域において透過率が変更される部分は、破線で示されるものとし、以降の説明においても基本的に同様とする。
【０１３７】
例えば、重なり領域情報取得部３１４は、ペン画像４２１の描画軌跡と人物領域４２２の輪郭との２つの交点の位置（座標）を示す座標情報を取得し、その座標情報を用いて、重なり領域としての２交点間の距離を算出することで、その距離を示す距離情報を取得する。そして、透過率変更部３１５は、距離情報で示される距離のうち、所定の割合（例えば50％や30％）の距離のペン画像４２１（重なり領域）の透過率を変更する。このような、重なり領域の距離の算出の詳細については、後述する。
【０１３８】
ここで、透過率変更部３１５は、予め設定されたパラメータに基づいて、重なり領域において透過率が変更される領域を決定するようにしてもよい。例えば、透過率変更部３１５は、予め設定されたパラメータに基づいて、上述した50％等の所定の割合を決定する。このパラメータは、例えば透過率変更部３１５により保持されるものとする。
【０１３９】
なお、実際には、様々な線種や色、太さのペン画像があるが、この例では、簡単のため、ペン画像を実線の矢印で示すものとし、以降の例においても同様とする。
【０１４０】
（１−２）撮影画像に合成される合成用画像がスタンプ画像である場合
この場合、撮影画像に合成されるスタンプ画像において、撮影画像上の人物領域との重なり領域の有無が検知される。
【０１４１】
具体的には、図１４に示されるように、撮影画像４１１に合成されるハート型のスタンプ画像４２３において、人物領域４２２との重なり領域の有無が検知される。この場合、スタンプ画像４２３の全ての領域が重なり領域とされる。図１４の例においては、重なり領域情報として、重なり領域（スタンプ画像４２３全体）の輪郭上の点の位置を示す位置情報や、重なり領域（スタンプ画像４２３全体）の面積を示す面積情報が取得され、その位置情報や面積情報に基づいて、重なり領域の一部の領域４２３ａの透過率が変更される。
【０１４２】
例えば、透過率変更部３１５は、面積情報で示される面積のうち、所定の割合（例えば50％等）の面積のスタンプ画像４２３の透過率を変更する。このとき、透過率変更部３１５は、重なり領域（スタンプ画像４２３全体）の上側50％の領域の透過率を変更したり、その右側50％の領域の透過率を変更したりする。図１４の例では、重なり領域（スタンプ画像４２３全体）の左側50％の領域の透過率が変更されている。なお、上述した50％等の所定の割合と、上側や右側等の領域は、予め設定されたパラメータに基づいて決定される。
【０１４３】
（１−３）撮影画像に合成される合成用画像がフレーム画像である場合
この場合、撮影画像に合成されるフレーム画像において、撮影画像上の人物領域との重なり領域の有無が検知される。
【０１４４】
図示はしないが、撮影画像に合成されるフレーム画像において、人物領域との重なり領域の有無が検知される。この例においては、重なり領域情報として、重なり領域の輪郭上の位置を示す位置情報や、重なり領域の面積を示す面積情報が取得され、その位置情報や面積情報に基づいて、重なり領域の一部の透過率が変更される。
【０１４５】
以上のように、具体例（１）においては、合成用画像における、撮影画像上の人物領域との重なり領域の一部の透過率が変更されるようになるので、被写体（利用者）の身体に、合成用画像の一部が刺さったり、埋まっているような、オリジナル性の高い画像を利用者に提供することが可能となる。
【０１４６】
（２）撮影画像上の所定領域が、スタンプ画像が合成された合成用画像領域である場合
（２−１）撮影画像に合成される合成用画像がペン画像である場合
この場合、撮影画像に合成されるペン画像において、撮影画像上でスタンプ画像が合成された合成用画像領域（以下、スタンプ画像領域という）との重なり領域の有無が検知される。
【０１４７】
具体的には、図１５に示されるように、撮影画像に合成されるペン画像４３１において、撮影画像上で、ハート型のスタンプ画像が合成されているスタンプ画像領域４３２との重なり領域の有無が検知される。図１５の例においては、重なり領域情報として、重なり領域におけるペン画像４３１の長さを示す距離情報が取得され、その距離情報に基づいて、重なり領域の一部の領域４３１ａの透過率が変更される。
【０１４８】
また、図１６に示されるように、ペン画像４３１において、撮影画像上で２つのスタンプ画像の一部が重なるように合成されているスタンプ画像領域４３２−１，４３２−２との重なり領域の有無が検知されるようにしてもよい。図１６左側の例においても、重なり領域情報として、重なり領域におけるペン画像４３１の長さを示す距離情報が取得され、その距離情報に基づいて、重なり領域の一部の領域４３１ｂの透過率が変更される。
【０１４９】
ここでも、予め設定されたパラメータに基づいて、重なり領域において透過率が変更される領域が決定されるようにしてもよい。
【０１５０】
これにより、図１６左側に示される、重なり領域において透過率が変更された領域４３１ｂについて、図１６右側に示される領域４３１ｃのように、その長さ（領域）を短くするようにもできる。
【０１５１】
さらに、図１７に示されるように、ペン画像４３１において、撮影画像上で大きさの異なる２つのスタンプ画像の一部が重なるように合成されているスタンプ画像領域４３２，４３３との重なり領域の有無が検知されるようにしてもよい。図１７の例においても、重なり領域情報として、重なり領域におけるペン画像４３１の長さを示す距離情報が取得され、その距離情報に基づいて、重なり領域の一部の領域４３１ｄの透過率が変更される。
【０１５２】
さらに、図１７の例においては、スタンプ画像領域４３２のスタンプ画像（スタンプ画像４３２という）と、スタンプ画像領域４３３のスタンプ画像（スタンプ画像４３３という）の一部が重なるように合成されているが、スタンプ画像領域４３２より後に合成されたスタンプ画像４３３におけるスタンプ画像４３２との重なり領域（スタンプ画像４３３の左上の領域）の有無が検知され、その一部の透過率が変更されるようにしてもよい。
【０１５３】
さらにまた、図１８に示されるように、ペン画像４３２において、撮影画像上で３つのスタンプ画像が間隔をもって合成されているスタンプ画像領域４３２−１，４３２−２，４３２−３それぞれとの重なり領域の有無が検知されるようにしてもよい。図１８の例においては、重なり領域情報として、それぞれの重なり領域におけるペン画像４３１の長さを示す距離情報が取得され、その距離情報に基づいて、それぞれの重なり領域の一部の領域４３１ｅ，４３１ｆ，４３１ｇの透過率が変更される。このとき、図１８に示されるように、各重なり領域において透過率が変更される領域が、重なり領域毎に、図中左側、右側、左側と、異なる領域が変更されるようにすることで、合成用画像のデザイン性をより高めることができる。
【０１５４】
また従来、複数のスタンプ画像を組み合わせ、その組み合わせた画像をタッチペンの軌跡に応じて連続して貼り付けることができるコロコロスタンプ機能を備えた写真シール機が知られているが、この機能によって描画された合成用画像の領域をスタンプ画像領域として、重なり領域の有無が検知されるようにしてもよい。
【０１５５】
具体的には、図１９に示されるように、撮影画像に合成されるペン画像４４１において、撮影画像上で、コロコロスタンプ機能によって描画されたスタンプ画像が合成されているスタンプ画像領域４４２との重なり領域の有無が検知される。スタンプ画像領域４４２は、小さいハート型の画像がタッチペン１３２Ａまたは１３２Ｂのハート型の軌跡に対応して連続して貼り付けられてなるスタンプ画像の領域であり、そのハート型の軌跡の内側も含めてスタンプ画像領域４４２とされる。図１９の例においても、重なり領域情報として、重なり領域におけるペン画像４４１の長さを示す距離情報が取得され、その距離情報に基づいて、重なり領域の一部の領域４４１ａの透過率が変更される。
【０１５６】
（２−２）撮影画像に合成される合成用画像がスタンプ画像である場合
この場合、撮影画像に合成されるスタンプ画像において、撮影画像上のスタンプ画像領域との重なり領域の有無が検知される。
【０１５７】
具体的には、図２０左側に示される「ＨＡＰＰＹ  ＢＩＲＴＨＤＡＹ」の文字列が表記されたスタンプ画像４５１において、図２０中央に示されるように、撮影画像上でハート型のスタンプ画像が合成されているスタンプ画像領域４５２との重なり領域の有無が検知される。この場合、スタンプ画像４５１の「ＨＡＰＰＹ  ＢＩＲＴＨ」の文字列に対応する領域が重なり領域とされる。
【０１５８】
図２０中央の例においては、重なり領域情報として、重なり領域の輪郭上の点の位置を示す位置情報や、重なり領域の面積を示す面積情報が取得され、その位置情報や面積情報に基づいて、重なり領域のうちの「ＢＩＲＴＨ」の文字列に対応する領域４５１ａの透過率が変更される。また、図２０右側に示されるように、重なり領域のうちの「ＨＡＰＰＹ」の文字列に対応する領域４５１ｂの透過率が変更されるようにしてもよい。
【０１５９】
なお、図２０の例においては、領域４５１ａや領域４５１ｂの透過率は100％とされ、その部分は全く表示されない状態とされる。このような合成用画像が合成された撮影画像がシール紙として印刷された場合、利用者は、領域４５１ａや領域４５１ｂに対応する文字列を判読することはできない。
【０１６０】
そこで、透過率変更部３１５によって、重なり領域における一部の透過率が、重なり領域における位置に応じて段階的に変更されるようにしてもよい。
【０１６１】
例えば、重なり領域における一部の透過率が、重なり領域の外側に近づくにつれて段階的に高くなるようにすることで、図２０中央の例では、領域４５１ａにおいて、「ＢＩＲＴＨ」の文字列が「Ｂ」の文字から段階的に透けて見え、「Ｈ」の文字が完全に見えないようになる。また、図２０右側の例では、領域４５１ｂにおいて、「Ｈ」の文字が完全に見えず、「ＨＡＰＰＹ」の文字列が段階的に濃くなるように見えるようになる。
【０１６２】
これにより、シール紙において、全く表示されない文字は１文字程度となり、利用者は、領域４５１ａや領域４５１ｂに対応する文字列を判読することができるようになる。
【０１６３】
また、「ＨＡＰＰＹ  ＢＩＲＴＨ」のような複雑な文字列でなければ、例えば図２０中央の領域４５１ａに表示される文字列を全く表示させない状態とすることで、利用者に表示されない文字列を利用者に推測させるという楽しみを提供するようにしてもよい。
【０１６４】
さらに、透過率変更部３１５によって、重なり領域の一部の透過率を時間に対して変化するように変更させ、合成部３１６によって、重なり領域の一部の透過率が時間に対して変化するようアニメーション表示される合成用画像を撮影画像に合成させるようにしてもよい。
【０１６５】
これにより、タブレット内蔵モニタ１３１に表示される編集画面上の撮影画像や、事後接客処理として行われる携帯送信ゲーム処理によって携帯端末に送信される携帯送信用画像において、重なり領域の一部の透過率を０％と100％とで間欠的に変化させることで、領域４５１ａや領域４５１ｂに表示される文字列を点滅表示させたり、その透過率を０％と100％との間で連続的に変化させることで、フェードイン、フェードアウトを繰り返すように表示させたり、アニメーション表示させるようにすることができる。なお、このような合成用画像が合成された撮影画像がシール紙として印刷される場合には、そのシール紙において、全ての文字列が印刷されるものとする。また、携帯送信用画像の送信先となる携帯端末のうち、上述のようなアニメーション表示に対応した機種のみにおいて、アニメーション表示させるようにしてもよい。
【０１６６】
さらなる例として、図２１左側に示される、いわゆるペロペロキャンディ（ロリポップ）を模したスタンプ画像４６１において、図２１右側に示されるように、撮影画像上で人の口（唇）を模したスタンプ画像が合成されているスタンプ画像領域４６２との重なり領域の有無が検知されるようにしてもよい。図２１の例においては、重なり領域情報として、重なり領域の輪郭上の点の位置を示す位置情報や、重なり領域の面積を示す面積情報が取得され、その位置情報や面積情報に基づいて、重なり領域のうち、スタンプ画像領域４６２の上唇の部分に対応する領域の透過率が変更され（透過率100％とされ）、表示されなくなる。
【０１６７】
結果として、人がペロペロキャンディを舐めている様子を表す合成用画像が、撮影画像に合成されるようになり、面白い仕上がりの画像を提供することができるようになる。
【０１６８】
なお、図２１の例において、スタンプ画像領域４６２に対して、スタンプ画像４６１の合成される位置がより上側となった場合、図２２左側に示されるように、スタンプ画像４６１においてスタンプ画像領域４６２の上唇の部分より上側の領域は重なり領域ではないため、その領域の透過率が変更されずに表示され、人がペロペロキャンディを舐めている様子を表す画像としては不自然な画像となる。
【０１６９】
そこで、スタンプ画像４６１においてスタンプ画像領域４６２の上唇の部分より上側の所定範囲の領域も、重なり領域としてその有無が検知されるようにして、その領域の透過率も変更されるようにすることで、図２２右側に示されるように、人がペロペロキャンディを舐めている様子を表す画像として自然な画像が得られるようになる。
【０１７０】
なお、撮影画像上の人物領域において、唇の領域を唇画像として認識し、スタンプ画像４６１と唇画像との重なり領域のうち、唇画像の上唇の部分に対応する領域の透過率が変更され、表示されなくなるようにしてもよい。
【０１７１】
以上のように、具体例（２）においては、合成用画像における、撮影画像上のスタンプ画像領域との重なり領域の一部の透過率が変更されるようになるので、先に合成された合成用画像に、後から合成する合成用画像の一部が刺さったり、隠れているような、デザインバリエーションの豊かなスタンプ画像を利用者に提供することが可能となる。
【０１７２】
（３）撮影画像上の所定領域が、フレーム画像が合成された合成用画像領域である場合
（３−１）撮影画像に合成される合成用画像がペン画像である場合
この場合、撮影画像に合成されるペン画像において、撮影画像上でフレーム画像が合成された合成用画像領域（以下、フレーム画像領域という）との重なり領域の有無が検知される。
【０１７３】
具体的には、図２３に示されるように、撮影画像４７１に合成されるペン画像４８１において、撮影画像上で枠状のフレーム画像が合成されているフレーム画像領域４８２との重なり領域の有無が検知される。図２３の例においては、重なり領域情報として、重なり領域におけるペン画像４８１の長さを示す距離情報が取得され、その距離情報に基づいて、重なり領域の一部の領域４８１ａの透過率が変更される。
【０１７４】
（３−２）撮影画像に合成される合成用画像がスタンプ画像である場合
この場合、撮影画像に合成されるスタンプ画像において、撮影画像上のフレーム画像領域との重なり領域の有無が検知される。
【０１７５】
具体的には、図２３に示されるように、撮影画像４７１に合成されるハート型のスタンプ画像４８３において、フレーム画像領域４８２との重なり領域の有無が検知される。図２３の例においては、重なり領域情報として、重なり領域の輪郭上の点の位置を示す位置情報や、重なり領域の面積を示す面積情報が取得され、その位置情報や面積情報に基づいて、重なり領域の一部の領域４８３ａの透過率が変更される。
【０１７６】
以上のように、具体例（３）においては、合成用画像における、撮影画像上のフレーム画像領域との重なり領域の一部の透過率が変更されるようになるので、先に合成されたフレーム画像に、後から合成する合成用画像の一部が刺さったり、隠れているような、デザインバリエーションの豊かなフレーム画像を利用者に提供することが可能となる。
【０１７７】
なお、以上においては、重なり領域において透過率が変更される領域は、予め設定されたパラメータに基づいて決定されるものとしたが、利用者による操作入力に応じてそのパラメータが変更されることで、重なり領域において透過率が変更される領域が決定されるようにしてもよい。
【０１７８】
例えば、図２４Ａ，Ｂに示される編集画面において、編集用パレット４９１に、スタンプ画像（図では、ハート型は星型のスタンプ画像）を選択するためのアイコンとともに、重なり領域において透過率が変更される領域を切り替えるための切り替えボタン４９２を設けるようにする。
【０１７９】
図２４Ａにおいては、撮影画像４９３に合成されたペン画像４９４において、ハート型のスタンプ画像４９５との重なり領域において透過率が変更された領域は領域４９４ａとされる。ここで、利用者によって切り替えボタン４９２が押下されることで、重なり領域において透過率が変更される領域を決定するパラメータが変更され、図２４Ｂに示されるように、撮影画像４９３に合成されたペン画像４９４において、ハート型のスタンプ画像４９５との重なり領域において透過率が変更された領域は領域４９４ｂに切り替わる。切り替えボタン４９２が押下される毎に、図２４Ａの状態と図２４Ｂの状態とが繰り返される。
【０１８０】
なお、図２４の例では、ペン画像の重なり領域において透過率が変更される領域が切り替わるものとしたが、スタンプ画像の重なり領域において透過率が変更される領域が切り替わるようにしてももちろんよい。
【０１８１】
このように、利用者の操作入力によって重なり領域において透過率が変更される領域が切り替わるようにすることで、利用者は、より自分の好みに合った合成用画像を用いて、撮影画像に対する落書き編集を行うことができるようになる。
【０１８２】
ところで、上述した具体例（１−１），（２−１），（３−１）においては、撮影画像に合成されるペン画像において、撮影画像上の人物領域または合成用画像領域との重なり領域の有無が検知され、重なり領域におけるペン画像の長さを示す距離情報が取得されることを説明した。
【０１８３】
そこで、以下においては、重なり領域におけるペン画像の長さ（距離）を算出する詳細な例について説明する。
【０１８４】
［編集処理部の他の構成例］
図２５は、編集処理部３０２の他の構成例を示している。
【０１８５】
なお、図２５の編集処理部３０２において、図９の編集処理部３０２における構成と対応する部分には同一の符号を付してあり、その説明は適宜省略する。
【０１８６】
編集処理部３０２は、表示制御部３１１、入力受付部３１２、重なり領域検知部３１３、重なり領域情報取得部５１１、透過率変更部３１５、および合成部３１６を備えている。
【０１８７】
重なり領域情報取得部５１１は、描画軌跡に対応するペン画像の、撮影画像上の所定領域との重なり領域における描画軌跡の始点および終点（以下、単に、重なり領域の始点および終点という）の情報を、重なり領域情報として取得する。具体的には、重なり領域情報取得部５１１は、ペン画像（描画軌跡）と所定領域の輪郭との２つの交点の位置（座標）を重なり領域の始点および終点とし、それぞれを示す座標情報を重なり領域情報として取得する。重なり領域情報取得部５１１は、距離算出部５２１を備えている。
【０１８８】
距離算出部５２１は、取得された重なり領域情報を用いて、ペン画像の重なり領域の始点および終点から、重なり領域における描画軌跡の距離（以下、単に、重なり領域の距離という）を算出し、その距離を示す距離情報を透過率変更部３１５に供給する。
【０１８９】
［合成用画像の合成処理の他の例］
次に、図２６のフローチャートを参照して、図２５の編集処理部３０２によって行われる編集処理の中で実行される、合成用画像の合成処理について説明する。ここで、撮影画像に合成される合成用画像は、ペン画像であるものとする。
【０１９０】
なお、図２６のフローチャートのステップＳ１１１乃至Ｓ１１４，Ｓ１１８の処理は、図１２のフローチャートのステップＳ１１乃至Ｓ１４，Ｓ１７の処理とそれぞれ基本的に同様であるので、その説明は省略する。
【０１９１】
すなわち、ステップＳ１１５において、重なり領域情報取得部５１１は、ペン画像の、撮影画像上の所定領域との重なり領域の始点および終点の情報を取得する。
【０１９２】
例えば、図２７に示されるように、ペン画像５３１において、撮影画像上のスタンプ画像領域５３２との重なり領域の有無が検知された場合、重なり領域情報取得部５１１は、ペン画像５３１の重なり領域の始点ＳＰおよび終点ＥＰの、撮影画像上の位置を示す位置情報を取得する。
【０１９３】
ステップＳ１１６において、距離算出部５２１は、重なり領域情報取得部５１１によって取得された情報を用いて、ペン画像の重なり領域の始点および終点から、重なり領域の距離を算出する。図２７の例では、ペン画像５３１の重なり領域の始点ＳＰおよび終点ＥＰについての位置情報を用いて、ペン画像５３１の重なり領域の距離２ｘが算出される。算出された重なり領域の距離を示す距離情報は、透過率変更部３１５に供給される。
【０１９４】
ステップＳ１１７において、透過率変更部３１５は、距離算出部５２１から供給された距離情報で示される重なり領域の距離のうち、所定距離分の（描画軌跡に対応する）重なり領域の透過率を変更する。例えば、図２７の例のように、重なり領域の距離が２ｘとして算出されている場合、透過率変更部３１５が保持している、予め設定されたパラメータに基づいて、その半分（50％）の距離ｘに対応する重なり領域５３１ａの透過率が変更される。ここで、透過率変更部３１５が保持しているパラメータによって決定される、透過率を変更する距離の割合は、上述した50％に限らず、他の割合であってももちろんよい。
【０１９５】
以上の処理によれば、図１２のフローチャートを参照して説明した処理と同様の作用効果を奏することができる。
【０１９６】
なお、以上においては、ペン画像の、スタンプ画像領域との重なり領域の有無が検知されるものとしたが、フレーム画像領域との重なり領域の有無が検知される場合や、人物領域との重なり領域の有無が検知される場合であっても、上述した処理が適用される。
【０１９７】
また、以上においては、ペン画像の重なり領域における距離が算出されるものとしたが、ペン画像に限らず、一定方向に延在する合成用画像、例えば細長いスタンプ画像の重なり領域における距離が算出されるようにしてもよい。
【０１９８】
ところで、撮影画像に合成される合成用画像のうち、スタンプ画像は、撮影画像上の利用者によってタッチペン１３２Ａまたは１３２Ｂを用いて指定された位置に合成され、フレーム画像は、撮影画像上の予め定められた位置に合成される。すなわち、撮影画像上でスタンプ画像およびフレーム画像が合成される位置は一意的に決められるということができる。
【０１９９】
一方、ペン画像は、利用者による描画入力の描画軌跡に対応して合成される画像であるため、撮影画像上でペン画像が合成される位置は一意的に決まらず、また、ペン画像の形状の確定には、利用者による描画入力が終わるまでの所定の時間を要する。
【０２００】
すなわち、撮影画像上の所定領域にペン画像が入力される際、重なり領域の始点での描画入力を受け付け、さらに、重なり領域の終点での描画入力を受け付けた後に、その重なり領域の有無が検知され、重なり領域があると検知された場合、その一部の透過率が変更されるようになる。
【０２０１】
そこで、撮影画像上の所定領域に描画されたペン画像の表示の仕方としては、ペン画像の、撮影画像上の所定領域への描画入力を受け付けたときに、ペン画像の重なり領域を表示させず、透過率変更部３１５によって重なり領域の一部の透過率が変更された後、ペン画像の重なり領域を表示させるようにする。すなわち、撮影画像上の所定領域に描画されたペン画像は、描画入力の開始直後には表示されず、描画入力の終了直後に、重なり領域の一部の透過率が変更された上で表示されるようにする。
【０２０２】
また、ペン画像の、撮影画像上の所定領域への描画入力を受け付けたときに、ペン画像の重なり領域の全てを表示させ、透過率変更部３１５によって、その表示されている重なり領域の一部の透過率が変更されるようにしてもよい。すなわち、撮影画像上の所定領域に描画されたペン画像は、描画入力に応じて全て表示された後、その表示されている重なり領域の一部の透過率が変更されるようにすることもできる。
【０２０３】
上述したように、撮影画像上の所定領域にペン画像が描画される際、重なり領域の始点での描画入力を受け付けた時点では、重なり領域の終点の位置は未知であるため、その時点では、重なり領域の距離を算出することも、その一部の透過率を変更することもできない。
【０２０４】
そこで、以下においては、重なり領域の始点から重なり領域の終点を予測する例について説明する。
【０２０５】
［編集処理部のさらに他の構成例］
図２８は、編集処理部３０２のさらに他の構成例を示している。
【０２０６】
なお、図２８の編集処理部３０２において、図９や図２５の編集処理部３０２における構成と対応する部分には同一の符号を付してあり、その説明は適宜省略する。
【０２０７】
編集処理部３０２は、表示制御部３１１、入力受付部３１２、重なり領域検知部３１３、重なり領域情報取得部６１１、透過率変更部３１５、および合成部３１６を備えている。
【０２０８】
重なり領域情報取得部６１１は、ペン画像の、撮影画像上の所定領域との重なり領域の始点の情報を、重なり領域情報として取得する。重なり領域情報取得部６１１は、終点予測部６２１および距離算出部５２１を備えている。
【０２０９】
終点予測部６２１は、取得された重なり領域を用いて、ペン画像の重なり領域の始点から、重なり領域の終点を予測する。
【０２１０】
［合成用画像の合成処理の他の例］
次に、図２９のフローチャートを参照して、図２８の編集処理部３０２によって行われる編集処理の中で実行される、合成用画像の合成処理について説明する。ここでも、撮影画像に合成される合成用画像は、ペン画像であるものとする。
【０２１１】
なお、図２９のフローチャートのステップＳ２１１乃至Ｓ２１４，Ｓ２１８，Ｓ２１９の処理は、図２６のステップＳ１１１乃至Ｓ１１４，Ｓ１１７，Ｓ１１８の処理とそれぞれ基本的に同様であるので、その説明は省略する。
【０２１２】
ただし、ステップＳ２１４においては、ペン画像の描画軌跡が、撮影画像上の所定領域内に入った時点で、重なり領域があると検知されたと判定される。
【０２１３】
ステップＳ２１５において、重なり領域情報取得部６１１は、ペン画像の所定領域との重なり領域の始点の情報を取得する。すなわち、重なり領域情報取得部６１１は、ペン画像の描画軌跡が、撮影画像上の所定領域内に入ったときの、その位置を示す位置情報を取得する。
【０２１４】
ステップＳ２１６において、終点予測部６２１は、重なり領域情報取得部６１１によって取得された情報を用いて、ペン画像の重なり領域の始点から、重なり領域の終点を予測する。具体的には、終点予測部６２１は、図３０に示されるように、ペン画像５３１の描画軌跡が所定領域（スタンプ画像領域５３２）内に入る直前の、始点ＳＰ近傍におけるペン画像５３１ｐの描画軌跡の向きに基づいて、その向きから始点ＳＰより先の（これから描画される）描画軌跡（破線部分）を推測することで、重なり領域の終点ＥＰを予測する。
【０２１５】
これにより、ペン画像の描画軌跡が、直線である場合はもちろん、曲線であってもある程度の規則性をもって描画される曲線である場合には、ペン画像の重なり領域の始点から、重なり領域の終点が予測されるようになる。
【０２１６】
そして、ステップＳ２１７において、距離算出部５２１は、重なり領域情報取得部５１１によって取得された情報で示されるペン画像の重なり領域の始点、および、終点予測部６２１によって予測されたペン画像の重なり領域の終点から、重なり領域の距離を算出する。
【０２１７】
以上の処理によれば、図２６のフローチャートを参照して説明した処理と同様の作用効果を奏することができる上に、撮影画像上の所定領域にペン画像が描画される際、重なり領域の始点での描画入力を受け付けた時点で、重なり領域の終点が予測され、重なり領域の距離が算出され、その一部の透過率が変更されるので、図２６のフローチャートを参照して説明した処理と比べて、処理に要する時間を短縮することができる。
【０２１８】
なお、ペン画像の描画軌跡が、規則性なく描画される曲線である場合には、重なり領域におけるペン画像は、実際に描画されるペン画像とは異なる描画軌跡として推測される可能性があるので、利用者にとっては想定外のペン画像が合成されることになり、利用者に、より楽しんで編集作業を行わせることができる。
【０２１９】
［その他］
以上においては、合成用画像において、撮影画像上の人物領域や合成用画像領域との重なり領域があると検知されると、その重なり領域の一部の透過率が変更される処理について説明したが、重なり領域の一部の透過率が変更される上に、合成部３１６によって、透過率が一部変更された合成用画像の面白みを高める合成用画像（以下、ユーモア合成用画像という）が合成されるようにしてもよい。
【０２２０】
例えば、図３１に示されるように、ペン画像７３１において、人物領域７３２およびスタンプ画像領域７３３との重なり領域があると検知された場合、その重なり領域の一部の透過率が変更される上に、ペン画像７３１の描画軌跡を矢の軌道に見立てて弓を引くキャラクタを表すユーモア合成用画像７３４が、さらに合成されるようにしてもよい。
【０２２１】
また、図３２に示されるように、ペン画像７４１において、被写体の頭部に対応する人物領域７４２との重なり領域があると検知された場合、その重なり領域の一部の透過率が変更される上に、ペン画像７４１を被写体の頭部に刺さった矢に見立てて被写体の頭部から出血したことを表すユーモア合成用画像７４３や、被写体の顔色が悪くなったことを表すユーモア合成用画像７４４が、さらに合成されるようにしてもよい。
【０２２２】
このように、重なり領域の一部の透過率が変更された上に、ユーモア合成用画像が合成されることで、よりデザインバリエーションの豊かな、かつ、より面白みのある画像を利用者に提供することが可能となる。
【０２２３】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２２４】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（ＣＤ―ＲＯＭおよびＤＶＤを含む）、光磁気ディスク（ＭＤを含む）、もしくは半導体メモリ等よりなるリムーバブルメディア２０５により構成されるだけでなく、装置本体に予め組み込まれた状態で管理者に配信される、プログラムが記録されているＲＯＭ２０６や、記憶部２０２に含まれるハードディスク等で構成される。
【０２２５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２２６】
以上において、印刷媒体は、シール紙や写真紙に限られるものではなく、例えば、所定のサイズの紙やフィルム、ポスター用の紙、テレホンカード等のカード、あるいは、Ｔシャツ等の布地等に印刷するようにしてもよい。
【０２２７】
また、本発明の実施の形態は、上述した実施の形態に限定されるものではなく、本発明の要旨を逸脱しない範囲において種々の変更が可能である。
【符号の説明】
【０２２８】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３１３  重なり領域検知部
３１４  重なり領域情報取得部
３１５  透過率変更部
３１６  合成部
５１１  重なり領域情報取得部
５２１  距離算出部
６１１  重なり領域情報取得部
６２１  終点予測部
【図１】
0005601547.tif 000002
【図２】
0005601547.tif 000003
【図３】
0005601547.tif 000004
【図４】
0005601547.tif 000005
【図５】
0005601547.tif 000006
【図６】
0005601547.tif 000007
【図７】
0005601547.tif 000008
【図８】
0005601547.tif 000009
【図９】
0005601547.tif 000010
【図１０】
0005601547.tif 000011
【図１１】
0005601547.tif 000012
【図１２】
0005601547.tif 000013
【図１３】
0005601547.tif 000014
【図１４】
0005601547.tif 000015
【図１５】
0005601547.tif 000016
【図１６】
0005601547.tif 000017
【図１７】
0005601547.tif 000018
【図１８】
0005601547.tif 000019
【図１９】
0005601547.tif 000020
【図２０】
0005601547.tif 000021
【図２１】
0005601547.tif 000022
【図２２】
0005601547.tif 000023
【図２３】
0005601547.tif 000024
【図２４】
0005601547.tif 000025
【図２５】
0005601547.tif 000026
【図２６】
0005601547.tif 000027
【図２７】
0005601547.tif 000028
【図２８】
0005601547.tif 000029
【図２９】
0005601547.tif 000030
【図３０】
0005601547.tif 000031
【図３１】
0005601547.tif 000032
【図３２】
0005601547.tif 000033